(57)【要約】【課題】空ローディングにより余分の電流を消費することのない電動パネルを有する電子機器を提供する。【解決手段】機器本体１の前面に配置されるパネル２を傾動させて記録媒体挿入口１ａを露出させる電動パネルを有する電子機器において、記録媒体挿入口１ａに記録媒体を挿入すると、先ず、パネル２を全開位置に駆動し、パネル２が全開位置に駆動された後記録媒体が挿入口１ａに存在するか否かを検出し、記録媒体が検出されたときのみ記録媒体をローディングするように構成した。【選択図】        図１
2005209254.tif 000002
【特許請求の範囲】
【請求項１】
機器本体の前面に配置されるパネルを傾動させて記録媒体挿入口を露出させる電動パネルを有する電子機器において、記録媒体挿入口に記録媒体を挿入すると、先ず、パネルを全開位置に駆動し、パネルが全開位置に駆動された後記録媒体が挿入口に存在するか否かを検出し、記録媒体が検出されたときのみ記録媒体をローディングするように構成した電動パネルを有する電子機器。
【発明の詳細な説明】
【技術分野】
【０００１】
この発明は電動パネルを有する電子機器に係わり、特に、その電動パネル開閉機構および記録媒体ローディング機構の動作に関する。
【背景技術】
【０００２】
従来の電動パネルを有する車載用音響機器は、機器本体の前面に配置されるパネルを傾動させて記録媒体挿入口を露出させ、また、操作し易い位置にパネルの角度を設定するようになっている。
【０００３】
そして、パネルが半開状態で記録媒体挿入口に記録媒体を挿入すると、記録媒体とパネルとが接触して記録媒体が傷つけられるの防止するためにパネルを全開状態とし、その後ローディング動作が行われる。
【発明の開示】
【発明が解決しようとする課題】
【０００４】
上記した従来の車載用音響機器では、なんらかの原因で記録媒体（ディスク）挿入と認識した場合、パネルオープン後ローディング動作が行われるため、ディスクの早い挿脱でもローディングするため空ローディングを行うことになる。アクセサリスイッチのオフ中では空ローディングのために余分の電流を消費するという問題があった。
【０００５】
この発明は上記した点に鑑みてなされたものであって、その目的とするところは、空ローディングにより余分の電流を消費することのない電動パネルを有する電子機器を提供することにある。
【課題を解決するための手段】
【０００６】
この発明の電動パネルを有する電子機器は、機器本体の前面に配置されるパネルを傾動させて記録媒体挿入口を露出させる電動パネルを有する電子機器において、記録媒体挿入口に記録媒体を挿入すると、先ず、パネルを全開位置に駆動し、パネルが全開位置に駆動された後記録媒体が挿入口に存在するか否かを検出し、記録媒体が検出されたときのみ記録媒体をローディングするように構成したものである。
【発明の効果】
【０００７】
この発明の電動パネルを有する電子機器によれば、アクセサリスイッチのオフ中において、空ローディングのために余分の電流を消費することが防止される。
【発明を実施するための最良の形態】
【０００８】
以下この発明を実施するための最良の形態を実施例に即して説明する。
【実施例１】
【０００９】
図１（ａ）はこの発明の実施例１である車載用音響機器のパネル全閉状態を示す概略構成図、図１（ｂ）は同車載用音響機器のパネル半開状態を示す概略構成図、図１（ｃ）は同車載用音響機器のパネル全開状態を示す概略構成図である。図に示す電動パネル２は操作部および表示部を備えており、機器本体１の前面に配置されている。
【００１０】
電動パネル２はパネル開閉装置３により図１（ａ）に示すパネル全閉状態から、図１（ｂ）に示すパネル半開状態を経て、図１（ｃ）に示すパネル全開状態まで駆動される。図１（ｂ）に示すパネル半開状態で電動パネル２を停止させてこの車載用音響機器を使用することができる。この状態では電動パネル２の表示部が見やすく、また、操作部を操作しやすい。
【００１１】
機器本体１には前面に開口部を有する記録媒体（ディスク）挿入口１ａが設けられている。記録媒体挿入口１ａはパネル全閉状態は電動パネル２に覆われる。記録媒体挿入口１ａには、記録媒体センサ５が設けられており、記録媒体挿入口１ａに挿入された記録媒体はローディング装置４により図２に示した再生部７に装着される。
【００１２】
図２は同車載用音響機器の制御回路を示すブロック図である。図に示す制御部６はマイクロコンピュータを備えており、電動パネル２および固定部に設けられた操作部８の操作釦および記録媒体センサ５からの信号が入力され、再生部７、パネル開閉装置３およびローディング装置４を制御する。
【００１３】
なお、制御部６はパネル開度記憶部６ａを備えており、操作部８の操作により使用時のパネル開度がパネル開度記憶部６ａに記憶され、通常は記憶されたパネル開度で車載用音響機器が使用される。
【００１４】
次に、図３より記録媒体をローディングする動作について説明する。制御部６は常時記録媒体センサ５がオフからオンに変化するのを監視しており、記録媒体センサ５がオフからオンに変化すると、このルーチンが実行される。
【００１５】
このルーチンでは先ず、ステップＳ１において電動パネル２を開く動作が行われる。次に、ステップＳ２において、電動パネル２が全開されたか否かが判断される。電動パネル２の全開はパネル開閉装置３が図示していないマイクロスイッチを作動させることにより検出される。なお、パネル開閉装置３がストッバで停止されることにより、モータ電流が所定値より大きくなることで電動パネル２の全開を検出するようにしてもよい。
【００１６】
ステップＳ２において、電動パネル２が全開でないと判断されると、ステップＳ２が繰り返されて電動パネル２が全開されるのを待つ。ステップＳ２において、電動パネルが全開したと判断されると、ステップＳ３に移行してパネル開閉装置３を停止する。
【００１７】
次に、ステップＳ４に移行して、記録媒体センサ５がオンとなっているか、すなわち、記録媒体挿入口１ａに記録媒体が差し込まれているか否かが判断される。ステップＳ４で記録媒体センサ５がオンとなっていないと判断されると、そのままこのルーチンを終了する。
【００１８】
ステップＳ３で記録媒体センサ５がオンとなっていると判断されると、ステップＳ５に移行し、記録媒体のローディングが行われる。記録媒体のローディング後、このルーチンを終了する。
【００１９】
このように、記録媒体が挿入口１ａに差し込まれていない状態で、空ローディングを行うことがないので、アクセサリスイッチのオフ中において、空ローディングのために余分の電流を消費することが防止される。
【図面の簡単な説明】
【００２０】
【図１】図１（ａ）はこの発明の実施例１である車載用音響機器のパネル全閉状態を示す概略構成図、図１（ｂ）は同車載用音響機器のパネル半開状態を示す概略構成図、図１（ｃ）は同車載用音響機器のパネル全開状態を示す概略構成図である。
【図２】同車載用音響機器の制御回路を示すブロック図である。
【図３】同車載用音響機器の動作を示すフローチャートである。
【符号の説明】
【００２１】
１  機器本体、１ａ  記録媒体挿入口
２  電動パネル
３  パネル開閉装置
４  ローディング装置
５  記録媒体センサ
６  制御部、６ａ  パネル開度記憶部
７  再生部
８  操作部
【図１】
2005209254.tif 000003
【図２】
2005209254.tif 000004
【図３】
2005209254.tif 000005